(57)【要約】【課題】作業現場の施工状態を撮影すると同時に作業現場の情報を読み取り可能にすることにより、事後の検証を迅速、的確に行う。【解決手段】作業事務所に設置されるパソコンおよびデータベースと、作業現場に装着され、場所情報と部材情報を記録した情報記録カードとを備え、情報読取機能付デジタルカメラにより施工位置を撮影することにより、画像と日付・時刻情報を記録し、同時に、情報記録カードに記録された場所情報と部材情報を読み込み、読み取られた画像情報、日付・時刻情報、場所情報および部材情報をデータベースに記録する。【選択図】図１
2005016108.tif 000002
【特許請求の範囲】
【請求項１】
作業事務所に設置されるパソコンおよびデータベースと、作業現場に装着され、場所情報と部材情報を記録した情報記録カードとを備え、情報読取機能付デジタルカメラにより施工位置を撮影することにより、画像と日付・時刻情報を記録し、同時に、情報記録カードに記録された場所情報と部材情報を読み込み、読み取られた画像情報、日付・時刻情報、場所情報および部材情報をデータベースに記録することを特徴とする作業現場撮影記録システム。
【請求項２】
請求項１記載の作業現場撮影記録システムを用いた配筋検査検証システムであって、前記デジタルカメラは、撮影対象までの距離を計測する測距機能を備え、デジタルカメラにより施工位置を撮影して画像情報と距離情報を取得し、画像情報を画像処理して画像上の配筋ピッチを計算し、画像上の配筋ピッチに、距離情報とデジタルカメラの固有情報であるレンズ焦点距離情報を基に実際の配筋ピッチを計算し、配筋作業が設計図面どおり行われたかを検証することを特徴とする配筋検査検証システム。
【発明の詳細な説明】
【０００１】
【発明の属する技術分野】
本発明は、土木・建築工事において、作業現場の施工状態を撮影すると同時に作業現場の情報を読み取り可能にすることにより、事後の検証を迅速、的確に行うことができる作業現場撮影記録システムに関する。
【０００２】
【従来の技術】
作業現場の写真は、種々の現場において着手前、施工状況、完成写真など膨大な枚数が撮影され、これらの写真には日付、時刻、撮影場所、部材情報等の情報が入力され写真台帳として管理され、事後の検証に利用している。従来、作業現場の写真をデジタルカメラにより画像情報としてキーワードと共にデータベースへ登録し、これを検索することにより作業現場の写真を容易に表示することができるシステムが知られている（例えば特許文献１参照）。
【０００３】
【特許文献１】特開平０９−１１４８５７号公報
【０００４】
【発明が解決しようとする課題】
しかしながら、上記従来の方式においては、デジタルカメラで記憶媒体に記録できるのは、主に、日付、時刻等の情報に限定されているために、撮影場所や部材情報等の情報は、撮影後に端末装置において入力しなければならず、しかも、撮影量が膨大で非常に似通った写真が多いため、撮影場所や時間などが混乱、不明になりやすいという問題を有している。
【０００５】
また、建築施工中の検査において、配筋の配置、数量、ピッチ、規格を検査する作業は最も頻繁に行われる作業である。通常この作業は現場で係員が設計図面との照合を行い、同時に配筋の状況を撮影することで行われている。しかし、事後の検証において撮影した写真に基づいて判断を行おうとした場合、撮影量が膨大で非常に似通った写真が多いため、対象の写真を探す作業に大変手間がかかり、撮影場所や時間などが混乱、不明になりやすいため実際の検証に効果が無い場合もある。さらに、配筋ピッチ（間隔）の検証を行うにも手がかりが写真しかない場合、画像だけから寸法のデータを抽出する手段がないという問題を有している。
【０００６】
本発明は、上記従来の問題を解決するものであって、作業現場の施工状態を撮影すると同時に作業現場の情報を読み取り可能にすることにより、事後の検証を迅速、的確に行うことができる作業現場撮影記録システムおよび該システムを用いて配筋ピッチを自動計測し検証の手間を大幅に削減することができる配筋検査検証システムを提供することを目的とする。
【０００７】
【課題を解決するための手段】
そのために本発明の作業現場撮影記録システムは、作業事務所に設置されるパソコンおよびデータベースと、作業現場に装着され、場所情報と部材情報を記録した情報記録カードとを備え、情報読取機能付デジタルカメラにより施工位置を撮影することにより、画像と日付・時刻情報を記録し、同時に、情報記録カードに記録された場所情報と部材情報を読み込み、読み取られた画像情報、日付・時刻情報、場所情報および部材情報をデータベースに記録することを特徴とする。
また、上記作業現場撮影記録システムを用いた配筋検査検証システムであって、前記デジタルカメラは、撮影対象までの距離を計測する測距機能を備え、デジタルカメラにより施工位置を撮影して画像情報と距離情報を取得し、画像情報を画像処理して画像上の配筋ピッチを計算し、画像上の配筋ピッチに、距離情報とデジタルカメラの固有情報であるレンズ焦点距離情報を基に実際の配筋ピッチを計算し、配筋作業が設計図面どおり行われたかを検証することを特徴とする。
【０００８】
【発明の実施の形態】
以下、本発明の実施の形態を図面を参照しつつ説明する。図１は、本発明の作業現場撮影記録システムの１実施形態を示す構成図である。作業事務所１には、パソコン２とデータベース３が設置され、データベース３には、場所情報（例えば、階数、区域）、日付・時刻情報、施工状態を示す画像情報、施工部位を示す部材情報（例えば、スラブ、壁、柱）、ＣＡＤデータからなる設計図面情報が格納されている。
【０００９】
作業現場４の施工位置には、作業に合わせて予め情報記録カード５が装着されている。この情報記録カード５には、その施工位置の場所情報と施工部位を示す部材情報が記録されている。情報読取機能付デジタルカメラ６は、施工位置を撮影すると同時に、情報記録カード５に近接させて非接触で情報記録カード５に記録された場所情報と部材情報を読み込むためのものである。
【００１０】
図２は、本発明の作業現場撮影記録システムの処理の流れを説明するための図である。先ず、作業現場４の施工位置に情報記録カード５を装着し、情報読取機能付デジタルカメラ６により施工位置を撮影することにより、画像と日付・時刻情報が記録される。同時に、情報記録カード５に記録された場所情報と部材情報を読み込む。読み取られた画像情報と、日付・時刻情報、場所情報、部材情報はパソコン２に入力され、データベース３に記録、格納される。
【００１１】
事後の検証においては、パソコン２により、例えば場所情報および日付・時刻情報を検索することにより、所望の施工場所の画像情報、部材情報、設計図面情報を簡単に得ることができる。
【００１２】
次に図３により、本発明の他の実施形態について説明する。本実施形態は、図１の作業現場撮影記録システムを用いた配筋検査検証システムであり、デジタルカメラ６は、撮影対象までの距離を計測する測距機能を備えている。また、デジタルカメラ６の固有情報であるレンズ焦点距離情報はパソコン２に入力される。
【００１３】
先ず、デジタルカメラ６により施工位置を撮影して画像情報と距離情報を取得しパソコン２に入力する。次に、画像情報を画像処理して画像上の配筋ピッチを計算し、次に、図４に示すように、画像上の配筋ピッチに、距離情報とデジタルカメラ６の固有情報であるレンズ焦点距離情報を基に実際の配筋ピッチの寸法を計算する。そして、設計図面情報を読み出し、計算された配筋ピッチと比較することにより、配筋作業が設計図面どおり行われたかを検証する。
【００１４】
以上、本発明の実施の形態について説明したが、本発明はこれに限定されるものではなく、種々の変更が可能である。例えば、図３の実施形態の検証作業は、作業現場に携帯パソコンを持ち込むことにより、その場で配筋検査を行うようにしてもよい。
【００１５】
【発明の効果】
以上の説明から明らかなように、本発明によれば、作業現場の施工状態を撮影すると同時に作業現場の情報を読み取り可能にすることにより、事後の検証を迅速、的確に行うことができるとともに、配筋ピッチを自動計測し検証の手間を大幅に削減することができる。
【図面の簡単な説明】
【図１】本発明の作業現場撮影記録システムの１実施形態を示す構成図である。
【図２】本発明の処理の流れを説明するための図である。
【図３】本発明の他の実施形態を説明するための図である。
【図４】配筋ピッチの計算を説明するための図である。
【図１】
2005016108.tif 000003
【図２】
2005016108.tif 000004
【図３】
2005016108.tif 000005
【図４】
2005016108.tif 000006